(57)【要約】【課題】  情報処理装置から送信する設定情報に従い画像形成装置が実行した機能の実行状態を情報処理装置で確認する。【解決手段】    情報処理装置と通信する画像形成装置において、取得手段が取得した設定情報で特定されるジョブを実行した際に、設定情報に前記ジョブの実行状態を応答するための返信先が付加されているかどうかを判断する。ここで、返信先が付加されていると判断した場合、ジョブの実行状態を示す応答情報の返信先を設定情報で特定される返信先を自動的に設定することを特徴とする。【選択図】  図１３
2015226180.tif 000002
【特許請求の範囲】
【請求項１】
情報処理装置と通信する画像形成装置であって、
前記画像形成装置が実行する特定の機能に対応づけた設定情報を前記情報処理装置から取得する取得手段と、
前記取得手段が取得した設定情報で特定されるジョブを実行する実行手段と、
前記設定情報に前記ジョブの実行状態を応答するための返信先が付加されているかどうかを判断する判断手段と、
前記返信先が付加されていると判断した場合、前記ジョブの実行状態を示す応答情報の返信先を前記設定情報で特定される返信先に設定する制御手段と、
を備えることを特徴とする画像形成装置。
【請求項２】
前記制御手段は、前記返信先が付加されていないと判断した場合、前記設定情報の受信先を返信先に設定することを特徴とする請求項１記載の画像形成装置。
【請求項３】
前記特定の機能は、原稿を読取り、読み取られた画像データを指定された送信先に送信する機能であることを特徴とする請求項１記載の画像形成装置。
【請求項４】
画像形成装置と通信する情報処理装置であって、
前記画像形成装置が実行する特定の機能に対応づけた設定情報を作成する作成手段と、
前記作成手段が作成した前記設定情報に前記画像形成装置から前記特定の機能の実行状態を示す返信先を特定する情報を前記設定情報に付加する付加手段と、
前記返信先を特定する情報が付加された前記設定情報を前記画像形成装置に送信する送信手段と、
前記設定情報に従い特定された機能の実行情報を示す応答情報を前記画像形成装置から受信する受信手段と、
前記受信手段が受信した応答情報を表示する表示手段と、
を備えることを特徴とする情報処理装置。
【請求項５】
前記特定の機能は、原稿を読取り、読み取られた画像データを指定された送信先に送信する機能であることを特徴とする請求項２記載の情報処理装置。
【請求項６】
情報処理装置と画像形成装置とが通信する画像形成システムであって、
前記画像形成装置は、
前記画像形成装置が実行する特定の機能に対応づけた設定情報を前記情報処理装置から取得する取得手段と、
前記取得手段が取得した設定情報で特定されるジョブを実行する実行手段と、
前記設定情報に前記ジョブの実行状態を応答するための返信先が付加されているかどうかを判断する判断手段と、
前記返信先が付加されていると判断した場合、前記ジョブの実行状態を示す応答情報を前記設定情報で特定される返信先に送信する送信手段と、
を備え、
前記情報処理装置は、
前記画像形成装置が実行する特定の機能に対応づけた設定情報を作成する作成手段と、
前記作成手段が作成した前記設定情報に前記画像形成装置から前記特定の機能の実行状態を示す返信先を特定する情報を前記設定情報に付加する付加手段と、
前記返信先を特定する情報が付加された前記設定情報を前記画像形成装置に送信する送信手段と、
前記設定情報に従い特定された機能の実行情報を示す応答情報を前記画像形成装置から受信する受信手段と、
前記受信手段が受信した応答情報を表示する表示手段と、
を備えることを特徴とする画像形成システム。
【請求項７】
情報処理装置と通信する画像形成装置のデータ処理方法であって、
前記画像形成装置が実行する特定の機能に対応づけた設定情報を前記情報処理装置から取得する取得工程と、
前記取得工程が取得した設定情報で特定されるジョブを実行する実行工程と、
前記設定情報に前記ジョブの実行状態を応答するための返信先が付加されているかどうかを判断する判断工程と、
前記返信先が付加されていると判断した場合、前記ジョブの実行状態を示す応答情報の返信先を前記設定情報で特定される返信先に設定する制御工程と、
を備えることを特徴とする画像形成装置のデータ処理方法。
【請求項８】
画像形成装置と通信する情報処理装置のデータ処理方法であって、
前記画像形成装置が実行する特定の機能に対応づけた設定情報を作成する作成工程と、
前記作成工程が作成した前記設定情報に前記画像形成装置から前記特定の機能の実行状態を示す返信先を特定する情報を前記設定情報に付加する付加工程と、
前記返信先を特定する情報が付加された前記設定情報を前記画像形成装置に送信する送信工程と、
前記設定情報に従い特定された機能の実行情報を示す応答情報を前記画像形成装置から受信する受信工程と、
前記受信工程が受信した応答情報を表示する表示工程と、
を備えることを特徴とする情報処理装置のデータ処理方法。
【請求項９】
請求項７に記載の画像形成装置のデータ処理方法をコンピュータに実行させることを特徴とするプログラム。
【請求項１０】
請求項８に記載の情報処理装置のデータ処理方法をコンピュータに実行させることを特徴とするプログラム。
【発明の詳細な説明】
【技術分野】
【０００１】
本発明は、画像形成システム、画像形成装置、情報処理装置、画像形成装置のデータ処理方法、情報処理装置のデータ処理方法、及びプログラムに関するものである。
【背景技術】
【０００２】
多くの画像形成装置はプリセットボタンを持っており、あらかじめ設定を記憶させて使用する際に呼び出すことにより、複雑な設定であっても簡単に画像形成装置を設定して使用することができる。また、それらを個人毎に保存することによって、さらに利便性を高めたものもある（例えば、特許文献１）。
【先行技術文献】
【特許文献】
【０００３】
【特許文献１】特開２０１０−１１４８２５号公報
【発明の概要】
【発明が解決しようとする課題】
【０００４】
しかし、ユーザの所望するプリセットボタンが設定されていない画像形成装置、例えば出張先に設置されている画像形成装置などに対しては、複雑な設定、操作を行わなくてはならない。そのため、携帯型モバイル端末（以下、モバイル端末）にプリセットデータを持たせ、操作対象の画像形成装置へ送信することにより、複雑な設定を行わずに操作を可能とした画像形成システムが提案されている。
【０００５】
ここで、スキャンデータをメールで送信する機能を前記システムで操作する場合、次のような問題がある。
メールの送達エラーが発生した場合、そのエラーを通知するメール（以下、リターンメールと呼ぶ）は実際に送信した画像形成装置に着信する。これはつまり、エラーの表示は画像形成装置の操作パネルにしか表示できない、ということになる。
画像形成装置の操作パネルから操作するユーザは、エラーの確認は画像形成装置の操作パネルで行うため問題は無い。しかし、画像形成システムのようにモバイル端末で画像形成装置を操作するユーザは、モバイル端末の操作パネルで確認できず、不便である。
【０００６】
本発明は、上記の課題を解決するためになされたもので、本発明の目的は、情報処理装置から送信する設定情報に従い画像形成装置が実行した機能の実行状態を情報処理装置で確認できる仕組みを提供することである。
【課題を解決するための手段】
【０００７】
上記目的を達成する本発明の画像形成装置は以下に示す構成を備える。
情報処理装置と通信する画像形成装置であって、前記画像形成装置が実行する特定の機能に対応づけた設定情報を前記情報処理装置から取得する取得手段と、前記取得手段が取得した設定情報で特定されるジョブを実行する実行手段と、前記設定情報に前記ジョブの実行状態を応答するための返信先が付加されているかどうかを判断する判断手段と、前記返信先が付加されていると判断した場合、前記ジョブの実行状態を示す応答情報の返信先を前記設定情報で特定される返信先に設定する制御手段と、を備えることを特徴とする。
上記目的を達成する本発明の情報処理装置は以下に示す構成を備える。
画像形成装置と通信する情報処理装置であって、前記画像形成装置が実行する特定の機能に対応づけた設定情報を作成する作成手段と、前記作成手段が作成した前記設定情報に前記画像形成装置から前記特定の機能の実行状態を示す返信先を特定する情報を前記設定情報に付加する付加手段と、前記返信先を特定する情報が付加された前記設定情報を前記画像形成装置に送信する送信手段と、前記設定情報に従い特定された機能の実行情報を示す応答情報を前記画像形成装置から受信する受信手段と、前記受信手段が受信した応答情報を表示する表示手段と、を備えることを特徴とする。
【発明の効果】
【０００８】
本発明によれば、情報処理装置から送信する設定情報に従い画像形成装置が実行した機能の実行状態を情報処理装置で確認できる。
【図面の簡単な説明】
【０００９】
【図１】画像形成装置の構成を説明するブロック図である。
【図２】情報処理装置の構成を説明するブロック図である。
【図３】画像形成システムの構成の一例を示す図である。
【図４】画像形成装置のモジュール構成を説明するブロック図である。
【図５】情報処理装置のモジュール構成を説明するブロック図である。
【図６】画像形成システムで利用する設定情報の一例を示す図である。
【図７】画像形成システムのデータ処理方法を説明するフローチャートである
【図８】画像形成装置のデータ処理方法を説明するフローチャートである。
【図９】画像形成装置のデータ処理方法を説明するフローチャートである。
【図１０】モバイル端末に表示されるＵＩ画面の一例を示す図である。
【図１１】画像形成装置に表示されるＵＩ画面の一例を示す図である。
【図１２】画像形成装置のデータ処理方法を説明するフローチャートである。
【図１３】情報処理装置のデータ処理方法を説明するフローチャートである。
【図１４】情報処理装置のデータ処理方法を説明するフローチャートである。
【図１５】モバイル端末に表示されるＵＩ画面の一例を示す図である。
【図１６】モバイル端末に表示されるＵＩ画面の一例を示す図である。
【発明を実施するための形態】
【００１０】
次に本発明を実施するための最良の形態について図面を参照して説明する。
＜システム構成の説明＞
〔第１実施形態〕
【００１１】
図１は、本実施形態を示す画像形成装置の構成を説明するブロック図である。
図１において、１００はコントローラユニットであり、画像形成装置の制御を行う装置である。ＣＰＵ１０１はシステム全体を制御するための演算装置である。システムバス１１１に、ＣＰＵ１０１、ＲＡＭ１０２、ＲＯＭ１０３、ＨＤＤ１０４、操作部Ｉ／Ｆ１０５、デバイスＩ／Ｆ１０７、ネットワークＩ／Ｆ１１０、無線Ｉ／Ｆ１１２が接続される。ＣＰＵ１０１は、システムバス１１１に接続された各装置を統括的に制御する。ＲＡＭ１０２はＣＰＵ１０１が動作するためのシステムワークメモリであり、画像データを一時記憶するための画像メモリである。
【００１２】
また、ＲＡＭ１０２は、オペレーティングシステムやシステムソフトウェア、アプリケーショソフトウェアなどのプログラムやデータも配置される。ＲＯＭ１０３は、システムのブートプログラムが格納されている。また、ＲＯＭ１０３は、システムプログラムやアプリケーションプログラムが格納されている場合や、フォントなど画像形成装置に必要な情報が格納されている場合もある。ＨＤＤ１０４はハードディスクドライブで、オペレーティングシステム、システムソフトウェア、アプリケーションソフトウェア、画像データ、設定データ等を格納する。
【００１３】
ＲＡＭ１０２に格納されたプログラムは、ＣＰＵ１０１によって実行され、ＲＡＭ１０２、ＲＯＭ１０３やＨＤＤ１０４に格納された画像データや画像以外のデータを処理する。また、小型の画像形成装置では、ＨＤＤ１０４を搭載せずにシステムソフトウェア、アプリケーションソフトウェア等をＲＯＭ１０３に格納して、ハードディスクレスの構成もある。あるいは、ＨＤＤ１０４の代わりに、ＳＳＤ（Ｓｏｌｉｄ  Ｓｔａｔｅ  Ｄｉｓｋ）などフラッシュメモリのようなハードディスク以外の記憶装置を用いた構成でも構わないのは言うまでも無い。
【００１４】
コントローラユニット１００は、操作部Ｉ／Ｆ１０５、デバイスＩ／Ｆ１０７、ネットワークＩ／Ｆ１１０、無線Ｉ／Ｆ１１２を持つ。操作部Ｉ／Ｆ１０５は、操作部１０６と接続されている。操作部１０６は、画像形成装置の状態を知らせたり、ユーザからの操作を受け取るタッチパネルなどの表示装置や、画像形成装置に指示を与えるための操作ボタンなどの画像形成装置を操作するための装置である。デバイスＩ／Ｆ１０７は、画像入出力デバイスであるスキャナ１０８やプリンタ１０９とコントローラユニット１００を接続し、画像データの入力や出力を行う。
【００１５】
スキャナ１０８からデバイスＩ／Ｆ１０７を介して入力された画像データは、ＲＡＭ１０２やＨＤＤ１０４に格納される。格納された画像データは、必要に応じてＲＡＭ１０２に格納されたアプリケーションプログラムで画像処理などが実行される。
【００１６】
また、画像データが出力される場合も同様に、画像データはデバイスＩ／Ｆ１０７を介してプリンタ１０９へ出力される。ネットワークＩ／Ｆ１１０はＬＡＮに接続し、ネットワーク上の外部機器の画像データ、あるいは画像形成装置を制御する情報との入出力を行う。無線Ｉ／Ｆ１１２は、他の無線Ｉ／Ｆを持つ機器と相互にデータをやり取りするための無線Ｉ／Ｆである。
なお、無線Ｉ／Ｆの種類は無線ＬＡＮ、ＮＦＣ、ＢｌｕｅＴｏｏｔｈ（登録商標）、赤外線通信等があり、本発明で限定するものではない。
【００１７】
なお、図１に図示されていない構成であっても、本発明の効果が満たされるのであれば、図１の構成に限らないのは言うまでもない。
例えば、ＦＡＸ機能を持つ画像形成装置の場合には、図１には図示していなモデム装置向けＩ／Ｆがコントローラユニット１００に具備されて、モデムによって公衆回線と接続して、ＦＡＸ伝送を可能としてもよい。あるいは、フラッシュメモリカードなどに格納されたデータを読み出してプリントすることを可能とするために、コントローラユニット１００は、図示されていないＵＳＢ  Ｉ／Ｆを具備してもよい。
【００１８】
図２は、本実施形態を示す情報処理装置の構成を説明するブロック図である。本例は、一般的な情報処理装置の内部構成の一例であり、後述する図３におけるクライアントＰＣ３０２、モバイル端末３０３の内部構成の一例である。
図２において、２０２は本発明を制御する際の情報処理を行うＣＰＵ、２０３はＣＰＵ２０２のワークエリアを提供するＲＡＭである。２０４は、ブートプログラムやアプリケーションプログラムが格納されているＲＯＭである。
【００１９】
２０５は本実施例における制御プログラムを提供する補助記憶装置（ハードディスク、フラッシュメモリ、フロッピー（登録商標）ディスク、ＣＤ−ＲＯＭ等）である。２０７は本発明においてユーザにメッセージを通知する目的で使用される画像表示装置（例えば、ＣＲＴディスプレイ、液晶ディスプレイ等）である。２０６は、ユーザが入力する入力装置（例えば、操作パネル、マウス、キーボード等）である。
【００２０】
２０８はＬＡＮを介して他のネットワーク機器と相互にデータをやりとりするためのネットワークＩ／Ｆである。２０９は他の無線Ｉ／Ｆを持つ機器と相互にデータをやり取りするための無線Ｉ／Ｆである。なお、無線Ｉ／Ｆの種類は無線ＬＡＮ、ＮＦＣ、ＢｌｕｅＴｏｏｔｈ（登録商標）、赤外線通信等があり、本発明で限定するものではない。２０１はこれらのデバイスを接続するメインバスである。
【００２１】
図３は、本実施形態を示す画像形成システムの構成の一例を示す図である。以下、本実施形態では、ユーザがモバイル端末３０３を使用して画像形成装置を使用する例について説明する。
図３において、ＬＡＮ３０１には、クライアントＰＣ３０２、アクセスポイント３０４、画像形成装置３０５、３０６、３０７が接続されている。また、３０３はモバイル端末であり、画像形成装置３０５等と通信を行うモバイル端末の１つである。モバイル端末３０３と画像形成装置３０５等間の通信手段は、本発明にて限定するものではない。
【００２２】
アクセスポイント３０４を介してＬＡＮ３０１に接続する方法や、画像形成装置３０５等が持つ無線Ｉ／Ｆを使用して直接接続してもよい。また、画像形成装置３０５等の無線Ｉ／Ｆを使用して画像形成装置３０５等のＩＰアドレスを取得し、前記ＩＰアドレスを使用してアクセスポイント３０４を介して通信する、というように複数のＩ／Ｆを併用してもよい。
【００２３】
ここで、スキャンデータを指定された宛先へ送信する機能（以下、センド機能と呼ぶ）を例に、ユーザの操作について説明する。
センド機能で以下のような設定（１）〜（３）で実行するとする（以下、この実行内容をセンド１と呼ぶ）。
（１）スキャンしたデータをメールに添付して３つの特定の宛先へ送信する
（２）ファイルフォーマットはＸＰＳ、解像度は３００ｄｐｉ
（３）スキャン原稿は両面
ユーザが操作部１０６を使用して本動作を画像形成装置３０５、３０６、３０７に指示する場合、一例として以下のような操作を行う。
〔画像形成装置３０５に対するセンド１のユーザ操作〕
（センド１−Ａ１）操作部１０６上にセンド機能の画面を表示する。
（センド１−Ａ２）あらかじめ登録されたアドレス帳から宛先１を選択する。
（センド１−Ａ３）あらかじめ登録されたアドレス帳から宛先２をアドレス帳から選択する。
（センド１−Ａ４）あらかじめ登録されたアドレス帳から宛先３をアドレス帳から選択する。
（センド１−Ａ５）画像形成装置３０５のデフォルト原稿が片面なので、操作部１０６から読取り面を両面に設定する。
（センド１−Ａ６）画像形成装置３０５のデータ転送ファイルのデフォルトがＰＤＦであるため、ＸＰＳに指定する。
（センド１−Ａ７）画像形成装置３０５の解像度のデフォルトが３００ｄｐｉであるため、設定せずにそのままとする。
（センド１−Ａ８）原稿をスキャナ１０８の図示しないＡＤＦに置く。
（センド１−Ａ９）操作部１０６に配置されるスタートキーを押下する。
〔画像形成装置３０６に対するセンド１のユーザ操作〕
（センド１−Ｂ１）操作部１０６上にセンド機能の画面を表示する。
（センド１−Ｂ２）宛先１がアドレス帳に無いため、操作部１０６から入力する。
（センド１−Ｂ３）宛先２がアドレス帳に無いため、操作部１０６から入力する。
（センド１−Ｂ４）宛先３がアドレス帳に無いため、操作部１０６から入力する。
（センド１−Ｂ５）画像形成装置３０６のデフォルト原稿の読取指定が両面なので、設定せずにそのままとする。
（センド１−Ｂ６）画像形成装置３０６のデータ形式のデフォルトがＸＰＳであるため、設定せずにそのままとする。
（センド１−Ｂ７）画像形成装置３０５の解像度のデフォルトが３００ｄｐｉであるため、設定せずにそのままとする。
（センド１−Ｂ８）原稿をスキャナ１０８の図示しないＡＤＦに置く。
（センド１−Ｂ９）操作部１０６に配置されたスタートキーを押下する。
〔画像形成装置３０７に対するセンド１のユーザ操作〕
（センド１−Ｃ１）操作部１０６上にセンド機能の画面を表示する。
（センド１−Ｃ２）宛先１がアドレス帳に無いため、操作部１０６から入力する。
（センド１−Ｃ３）宛先２がアドレス帳に無いため、操作部１０６から入力する。
（センド１−Ｃ４）宛先３がアドレス帳に無いため、操作部１０６から入力する。
（センド１−Ｃ５）画像形成装置３０７のデフォルト原稿の読取指定が片面なので、両面に設定する。
（センド１−Ｃ６）画像形成装置３０７にはＸＰＳファイル生成の能力が無いため、データファイルの形式としてＰＤＦを指定する。
（センド１−Ｃ７）画像形成装置３０７の解像度のデフォルトが３００ｄｐｉであるため、設定せずにそのままとする。
（センド１−Ｃ８）原稿をスキャナ１０８の図示しないＡＤＦに置く。
（センド１−Ｃ９）操作部１０６に配置されたスタートキーを押下する。
このように画像形成装置３０５、３０６、３０７がセンド１に関連するデフォルトの設定や能力が全く同じで無い限り、ユーザが行う操作も画像形成装置毎に異なる。
【００２４】
次に、画像形成装置３０５がセンド１を指示する設定情報（図６参照）をプリセットデータとして不揮発性の領域（例えばＨＤＤ１０４）に保持している場合について説明する。以降、ある特定の機能に対して動作の内容を指示するデータを設定情報と呼ぶ。ユーザは以下のような操作でセンド１を実行できる。
〔センド１のプリセットデータを使用したユーザ操作〕
（センド１−Ｄ１）原稿をスキャナ１０８のＡＤＦに置く。
（センド１−Ｄ２）センド１のプリセットデータをＨＤＤ１０４から呼び出す。
【００２５】
センド１のプリセットデータが画像形成装置３０６に設定されていない場合は、当然ながら画像形成装置３０６を使用する場合は（センド１−Ｂ１）〜（センド１−Ｂ９）までの操作を行う必要がある。このようにプリセットデータの設定状況によって、ネットワーク上の各画像形成装置３０５〜３０７に対してユーザが行う必要な操作が大きく変わってしまう。
【００２６】
ここで、本発明の情報処理装置と画像形成装置３０５を使用するユーザ操作の一例について説明する。
情報処理装置として機能するモバイル端末３０３に上記センド１を指示する設定情報６００（図６参照）を補助記憶装置２０５のフラッシュメモリ等の領域に保存しておく。保存方法の一例として、画像形成装置３０５の不揮発性の領域（例えばＨＤＤ１０４）に保存されているプリセットデータを補助記憶装置２０５のフラッシュメモリ等の領域に保存してもよい。または、モバイル端末３０３のＲＯＭ２０４に格納されているプログラムを使用して画像表示装置２０７、入力装置２０６よりユーザが任意にプリセットデータを作成できるようにしてもよい。または、ＬＡＮ３０１上のサーバー（図示しない）上のＨＤＤに保存されているプリセットデータを、ネットワークＩ／Ｆ２０８または無線Ｉ／Ｆ２０９を介してモバイル端末３０３の補助記憶装置２０５に保存できるようにしてもよい。このようにして補助記憶装置２０５のフラッシュメモリ等の領域に保存された設定情報６００をユーザは、モバイル端末３０３を操作して前記設定情報６００を、例えば画像形成装置３０５へ送信する。設定情報６００を受信した画像形成装置３０５は、設定情報６００に従って設定され動作する。この場合におけるユーザの操作は以下の通りである。
〔モバイル端末３０３を使用した画像形成装置３０５に対するセンド１のユーザ操作〕
（センド１−Ｅ１）原稿を画像形成装置３０５のスキャナ１０８に置く。
（センド１−Ｅ２）モバイル端末３０３からセンド１の設定情報６００を画像形成装置３０５へ送信する。
【００２７】
設定情報６００にはセンド１の設定内容が指示されているため、画像形成装置３０５のデフォルト値の設定についてユーザは考慮する必要はない。また、画像形成装置３０５のプリセットデータを使用していないため、プリセットデータの設定状況にユーザ操作は影響を受けない。
なお、使用する画像形成装置が画像形成装置３０７である場合、ＸＰＳのファイル生成の能力を持たないが、受信した設定情報に対して本発明による補正処理が行われことにより、ユーザ操作への影響を最小限にしている。具体的には生成するファイルフォーマットの指定を、ＸＰＳからＰＤＦに補正する。
【００２８】
このとき、設定情報６００とは異なるフォーマットになるため、ユーザに確認を求めてから実行するようにしても良い。これにより、各画像形成装置３０５〜３０７の持つ能力の違いに対して、モバイル端末３０３が保持する設定情報６００を変更する必要はない。つまり、画像形成装置３０５、３０６、３０７に対して、ユーザは同一の操作でセンド１を実行できる。
【００２９】
次に、クライアントＰＣ３０２から画像形成装置３０５〜３０７のいずれかに対して設定情報６００を送信する場合を説明する。
例えば、ユーザから画像形成装置３０５のコールセンタに問い合わせた際に、コールセンタ側から画像形成装置３０５を設定する場合が該当する。ユーザがコピー機能の製本設定など複雑な設定についてコールセンタに電話で質問をした場合、従来は設定内容の指示を口頭もしくはメール等で回答していた。
本実施形態に示す画像形成システムでは、クライアントＰＣ３０２から設定情報６００を送信しユーザの画像形成装置（例えば画像形成装置３０５）を直接設定することにより、ユーザに対してサポートを正確、迅速に行うことができる。
【００３０】
図４は、図３に示した画像形成装置のモジュール構成を説明するブロック図である。
画像形成装置３０５は、ＨＤＤ１０４に以下に示すプログラム（手段）を記憶して、ＣＰＵ１０１が各プログラムを実行することで対応する機能処理が実現される。なお、他の画像形成装置３０６，３０７も同じ構成を備える。
図４において、４０１は受信プログラム（受信手段）で、データの受信処理を行う。４０２は機能特定プログラム（機能特定手段）で、機能特定処理を行う。４０３は設定プログラム（設定手段）で、画像形成装置で実行可能な機能に対する詳細設定を処理する。４０４は画面表示プログラム（画面表示手段）で、ＵＩ画面等の画面表示処理を行う。４０５は補正プログラム（補正手段）で、データの補正正処理を行う。なお、上記各プログラムは、ＣＰＵ１０１によって実行されることで対応処理が実現される構成となっている。
【００３１】
図５は、図３に示した情報処理装置のモジュール構成を説明するブロック図である。
図５において、情報処理装置に対応するモバイル端末３０３は、補助記憶装置２０５に以下に示す機能処理に対応する各プログラム（手段）を記憶し、ＣＰＵ２０２が各手段を実行することで対応する機能処理が実現される。
５０１は送信処理を行う送信プログラム（送信手段）である。５０２はデータ生成処理を行う生成プログラム（生成手段）である。５０３は保存プログラム（保存手段）で、データ処理で扱うデータを補助記憶装置２０５等に記憶させたり、記憶したデータを読み出したりする。
【００３２】
５０４は表示プログラム（表示手段）で、情報処理装置の画像表示装置２０７等に操作に必要な画面を表示する。５０５は編集プログラム（編集手段）で、後述する通信によりモバイル端末３０３から受信する設定情報６００を解析して、自機で実行できない設定を実行可能な設定に編集する処理を行う。
以下、図４と図５を用いてモバイル端末３０３から画像形成装置３０５を制御する動作を説明する。なお、モバイル端末３０３には、スマートフォン、タッチパネルを備えてデータ処理を行うパッドデバイスを含む。
【００３３】
まず、モバイル端末３０３の動作を説明する。
モバイル端末３０３は、画像形成装置３０５の各設定項目に対応するエレメントを補助記憶装置２０５により１つ以上保存している。エレメントに関しては後述する。設定情報６００はエレメントを１つ以上含む。ユーザが操作するモバイル端末３０３では、表示手段５０４により設定情報を画像表示装置２０７上に表示する。表示手段５０４によって画像表示装置２０７上に表示された設定情報は編集手段５０５にて編集することができる。ここで、設定の編集とは、画像形成装置３０５にて実行できない設定がある場合に、実施される補正処理の制御情報を付与することや、送信先、カラーモードなどの設定情報６００の編集が含まれる。
【００３４】
ユーザが入力装置２０６を使用して表示手段５０４によって画像表示装置２０７上に表示されている設定情報６００を１つ以上選択すると、保存手段５０３は選択された設定情報に含まれる全てのエレメントを生成手段５０２へ入力する。生成手段５０２は、入力されたエレメントから画像形成装置３０５へ送信する設定情報６００を生成する。
次に、ユーザは入力装置２０６を使用して特定の画像形成装置３０５へ送信を指示する。ただし、画像形成装置３０５の特定の方法については本実施形態では限定しない。例えば、あらかじめモバイル端末３０３に画像形成装置３０５のＩＰアドレスを持つ、ＮＦＣを使用して特定の画像形成装置３０５と通信チャネルを確立させる、などの方法がある。ここでは特定された画像形成装置が画像形成装置３０５であるとして説明する。
ユーザからの送信指示を受けると、送信手段５０１が生成手段５０２が生成した設定情報６００を前記特定された画像形成装置３０５へ送信する。
【００３５】
次に、画像形成装置３０５の動作を説明する。
画像形成装置３０５は、モバイル端末３０３からの設定情報６００を受信手段４０１により受信する。受信手段４０１は設定情報６００を機能特定手段４０２へ渡す。機能特定手段４０２は受け取った前記設定情報６００から対象とする機能を特定する。特定された機能において、補正手段４０５が設定情報６００を画像形成装置３０５の能力と状態に基づいて解析し、設定情報６００の中に設定不可能なエレメントを発見すると設定可能なエレメントに補正する。このようにして補正手段４０５による解析および補正が終了後、設定手段４０３が設定情報６００に基づいて機能の設定と動作の指示を行う。
【００３６】
図６は、本実施形態を示す画像形成システムで利用する設定情報の一例を示す図である。図６の（Ａ）にセンド１の設定情報６００の例を示す。
図６の（Ａ）において、行６０１は開始タグであり、センド１の設定情報６００の開始を示す。行６０２〜行６０８は各項目とその値（以降、項目とその値を合わせてエレメントと呼ぶ）であり、以降にそれぞれの詳細を説明する。
行６０２では、設定情報６００の対象機能がセンド機能であることを示している。行６０３は３つの宛先情報を示している。それぞれｇｉｎｊｉ＠ｃａｎｏｎ．ｃｏ．ｊｐ、ｂｕｎｔａｒｏ＠ｃａｘｘｘ．ｃｏ．ｊｐ、ｇｏｅｍｏｎ＠ｃａｘｘｘ．ｃｏ．ｊｐを指定している。行６０４では、生成するファイルのフォーマットをＸＰＳに指定している。
行６０５は解像度を３００ｄｐｉに指定している。行６０６は原稿を両面でスキャンすることを指示している。行６０７は設定情報６００で設定が完了後、ユーザの操作部１０６からの実行開始の指示を待たずに、即実行すること指示する設定である。行６０８は、送信するメールのＲｅｐｌｙ−ｔｏヘッダの内容を指定している。行６０９は送信するメールのＦｒｏｍヘッダの内容を指定している。行６９９は終了タグであり、センド１の設定情報６００の終了を示す。
【００３７】
図６の（Ｂ）は、画像形成装置３０５にファイルを保存するボックス機能に対する設定情報の一例である。以降、本設定情報６００の内容をボックス１と呼ぶ。
図６の（Ｂ）において、行６１１、行６１５は図６の（Ａ）と同様のため、説明を割愛する。行６１２〜行６１４はボックス１設定情報のエレメントであり、以降にそれぞれの詳細を説明する。行６１２では、本設定情報６１０の対象機能がボックス機能であることを示している。行６１３は実行内容が、目的のフォルダを表示する（以降、フォルダ移動表示と呼ぶ）であることを指定している。行６１４は表示するフォルダの場所を示している。
【００３８】
図６の（Ｃ）はボックス機能の設定情報６２０のまた別の一例である。以降、本設定情報６２０の内容をボックス２と呼ぶ。行６２１、行６２６は図６の（Ａ）と同様のため、説明を割愛する。行６２２〜行６２５はボックス２設定情報のエレメントである。行６２２、行６２４は図６の（Ｂ）と同様である。
行６２３は実行内容が、原稿をスキャンし、そのデータをＢｏｘへ保存する（以降、ＳｃａｎＴｏＢｏｘと呼ぶ）動作であることを指定している。行６２５は原稿のスキャンを両面で行うことを指定している。
【００３９】
図６の（Ｄ）はコピー機能の設定情報６３０の例である。以降、本設定情報の内容をコピー１と呼ぶ。行６３１、行６３５は図６の（Ａ）と同様のため、説明を割愛する。行６３２〜行６３４はコピー１設定情報のエレメントであり、以降にそれぞれの詳細を説明する。行６３２では、本設定情報６３０の対象機能がコピー機能であることを示している。行６３３は製本プリントの設定がＯＮであることを示している。行６３４では製本プリントの開き方を「左開き」に設定している。
【００４０】
図７は、本実施形態を示す画像形成システムのデータ処理方法を説明するフローチャートである。本例は、画像形成装置３０５とモバイル端末３０３との間のデータ処理に対応する。なお、画像形成装置３０５に示す各ステップは、ＣＰＵ１０１が記憶された制御プログラム（図４に示したプログラムを含む）を実行することで実現される。また、モバイル端末３０３に示す各ステップは、ＣＰＵ２０２が記憶された制御プログラム（図５に示したプログラムを含む）を実行することで実現される。
モバイル端末３０３のＣＰＵ２０２は、ユーザから設定情報６００の選択、送信の指示を受けると、Ｓ７２１で、ＣＰＵ２０２が生成手段５０２を実行することで、設定情報６００を生成する。その後、画像形成装置３０５のＣＰＵ１０１は、受信手段４０１を実行することで、Ｓ７１１、Ｓ７２２で、モバイル端末３０３のＣＰＵ２０２が送信手段５０１を実行して、画像形成装置３０５とモバイル端末３０３の間の通信チャネルを確立する。ここで、通信チャネルの確立については例えばＴＣＰ／ＩＰ、ＮＦＣ、ＢｌｕｅＴｏｏｔｈ（登録商標）などの通信プロトコルの内容であり、本特許で言及するものではない。
【００４１】
確立した前記通信チャネル上で、モバイル端末３０３のＣＰＵ２０２が送信手段５０１を実行して、Ｓ７２３で設定情報６００を画像形成装置３０５へ送信する。すると、画像形成装置３０５のＣＰＵ１０１が受信手段４０１を実行することで、Ｓ７１２で設定情報６００を受信する。ここで、設定情報６００の送信／受信が終了したとＣＰＵ１０１が判断した場合、Ｓ７２４へ進む。そして、画像形成装置３０５のＣＰＵ１０１が受信手段４０１を実行して、Ｓ７１３でモバイル端末３０３のＣＰＵ２０２が送信手段５０１を実行することで送信される応答を受信する。これにより、画像形成装置３０５とモバイル端末３０３との間の通信チャネルを終了させる。その後、モバイル端末３０３のＣＰＵ２０２は処理を終了する。
一方、画像形成装置３０５では、Ｓ７１４にて、ＣＰＵ１０１が設定手段４０３を実行することで、モバイル端末３０３から受信した設定情報６００に従って設定／実行処理を実行後、処理を終了する。
【００４２】
図８は、本実施形態を示す画像形成装置のデータ処理方法を説明するフローチャートである。本例は、図７に示した画像形成装置３０５がＳ７１４で実行するべきデータ処理の詳細に対応する。なお、各ステップは、画像形成装置３０５に示す各ステップは、ＣＰＵ１０１が記憶された制御プログラム（図４に示したプログラムを含む）を実行することで実現される。
Ｓ８０１では、ＣＰＵ１０１が機能特定手段４０２を実行することにより、Ｓ７１２で、モバイル端末３０３から受信した設定情報６００で指定されている機能に処理を振り分ける。ここで、指定された機能としてコピー機能が指定されているとＣＰＵ１０１が判断した場合、Ｓ８０２で、ＣＰＵ１０１は、スキャナ１０８とプリンタ１０９を制御して、コピー機能処理を実行する。
一方、Ｓ８０１で、ボックス機能が指定されているとＣＰＵ１０１が判断した場合、Ｓ８０３で、ＣＰＵ１０１は、ＨＤＤ１０４に確保されているボックスのうち、指定されたボックスに対するボックス機能処理を実行する。
一方、Ｓ８０１で、センド機能が指定されているとＣＰＵ１０１が判断した場合、Ｓ８０４で、ＣＰＵ１０１は、ネットワークＩ／Ｆ１１０を制御して要求されているデータに対するセンド機能処理を実行する。
一方、Ｓ８０１で、コピー、ボックス、センド以外の機能が指定されているとＣＰＵ１０１が判断した場合、Ｓ８０５のその他の機能処理へ進む。処理８０２〜処理８０５のそれぞれで処理が終了すると、処理を終了させる。
【００４３】
図６の（Ａ）の設定情報６００の例では行６０２でセンドが指定されているため、設定情報６００を受信した場合はＳ８０４に進むことになる。同様に設定情報６１０、設定情報６２０はＳ８０３へ、設定情報６３０はＳ８０２へ進む。
【００４４】
図９は、本実施形態を示す画像形成装置のデータ処理方法を説明するフローチャートである。本例は、図８に示した画像形成装置３０５がＳ８０４で実行するべきデータ処理の詳細に対応する。なお、各ステップは、画像形成装置３０５に示す各ステップは、ＣＰＵ１０１が記憶された制御プログラム（図４に示したプログラムを含む）を実行することで実現される。
Ｓ９０１では、ＣＰＵ１０１が補正手段４０５を実行して、上述した設定情報６００に対する補正処理を行う。次のＳ９０２では、ＣＰＵ１０１が設定手段４０３を実行して、センド機能において設定情報６００にしたがった設定を行う。その後、ＣＰＵ１０１が設定手段４０３を実行して、Ｓ９０３において、設定情報６００で即実行を指示されているとＣＰＵ１０１が判断した場合、Ｓ９２０へ進み、設定のみを指示されているとＣＰＵ１０１が判断した場合、Ｓ９１０へ進む。
ここで、設定情報６００を受信したときを例にすると、行６０７で即実行を指示されているためＳ９２０へ進む。
【００４５】
Ｓ９１０では、ＣＰＵ１０１が画面表示手段４０４を実行して、Ｓ９０２で設定された内容を確認する設定確認画面を作成する。Ｓ９２０では、ＣＰＵ１０１が設定手段４０３を実行して設定された内容で、ジョブの実行が開始される。
【００４６】
Ｓ９２１では、ＣＰＵ１０１が画面表示手段４０４を実行することにより、実行されたジョブの実行中画面を作成する。Ｓ９３０で、ＣＰＵ１０１が画面表示手段４０４を実行して、操作部１０６に表示する画面をセンド機能の画面へ遷移させる。つまり、操作部１０６でどのような画面を表示していたとしても、Ｓ９１０もしくはＳ９２１で作成した画面に切り替わる。なお、図８でのＳ８０２のコピー機能処理、Ｓ８０３のボックス機能処理は、本発明には直接関係ないためフローチャートの図示および説明を割愛する。
【００４７】
図１０は、図３に示したモバイル端末３０３に表示されるＵＩ画面の一例を示す図である。
図１０において、項目１００１〜１００６はモバイル端末３０３に保存してある設定情報６００等の一例を表しており、項目１００１が選択されている例である。また、各設定情報の送信先は表示部１０１０に表示されていて、ここでは説明のためこの送信先（３ＦＭＦＰ２１号）を画像形成装置３０５とする。加えて、項目１００１はセンド１の設定情報６００とする。その他の表示は本発明と直接関係がないため、説明を割愛する。
【００４８】
図１１は、図３に示した画像形成装置に表示されるＵＩ画面の一例を示す図である。本例は、モバイル端末３０３から設定情報６００を受信し設定および実行した場合の、センド機能の画面表示の一例である。
以降、図１０、図１１を用いて、モバイル端末３０３におけるユーザ操作と画像形成装置３０５の画面遷移について説明する。
ユーザは画像形成装置３０５に原稿をセットし、モバイル端末３０３の項目１００１を選択してボタン１０２０を押下する。すると、モバイル端末３０３は、センド１の設定情報６００（図６の（Ａ）参照）を画像形成装置３０５へ送信する。画像形成装置３０５は、受信した設定情報６００に基づいてセンド機能を設定し、行６０７の指定によりユーザのスタート操作を待たずに即実行を開始する。その際に、図１１に示すＵＩ画面を画像形成装置３０５の操作部１０６に表示する。
図１１において、１１０１は実行中を表すポップアップダイアログであり、実行中の設定および現在の読み込み済みページ数を表示している。表示画面１１０２では、センド１設定情報の行６０３で指定されている宛先の総数（「３」）が表示されている。その他の表示については本発明には直接関係が無いため、説明を割愛する。
【００４９】
図１２は、本実施形態を示す画像形成装置のデータ処理方法を説明するフローチャートである。本例は、図９に示した画像形成装置３０５がＳ９０２で実行するべきデータ処理の詳細に対応する。なお、各ステップは、ＣＰＵ１０１が記憶された制御プログラム（図４に示したプログラムを含む）を実行することで実現される。
【００５０】
Ｓ１２０１では、ＣＰＵ１０１が設定手段４０３を実行することにより、設定情報６００はモバイル端末５００から受信したものであるかを判断する。ここでの判断の方法は受信手段４０１で設定情報６００の属性に受信フラグを設けるか、またはモバイル端末３０３の生成手段５０２か送信手段５０１で設定情報６００の中にタグを設けてもよく、本発明は判断する方法を制限するものではない。
【００５１】
モバイル端末３０３からの設定情報６００であるとＣＰＵ１０１が判断した場合はＳ１２０２へ進む。Ｓ１２０２では、ＣＰＵ１０１が設定手段４０３を実行することにより、設定情報６００にｒｅｐｌｙ−ｔｏの情報があるかどうかを判断する。ここで、設定情報６００にｒｅｐｌｙ−ｔｏの情報があるとＣＰＵ１０１が判断した場合、Ｓ１２０３へ進む。
Ｓ１２０３では、ＣＰＵ１０１が設定手段４０３を実行することにより、ｒｅｐｌｙ−ｔｏの内容、つまり行６０８で指定されているアドレスをｅｎｖｅｌｏｐｅ  ｆｒｏｍとして設定する。これにより、メールサーバはＲｅｔｕｒｎ−Ｐａｔｈヘッダに対してジョブの実行状態を応答するｒｅｐｌｙ−ｔｏのアドレスを設定することになる。設定情報６００
のｒｅｐｌｙ−ｔｏにモバイル端末３０３のアドレス（設定情報６００の受信先）が設定されていれば、エラーメールをモバイル端末３０３で受信、表示することができる。
【００５２】
Ｓ１２０２で、設定情報６００にｒｅｐｌｙ−ｔｏの情報がないとＣＰＵ１０１が判断した場合、Ｓ１２２０にて、ＣＰＵ１０１は設定手段４０３を実行することにより、設定情報６００にｆｒｏｍがあるかを判断する。ここで、設定情報６００にｆｒｏｍがあるとＣＰＵ１０１が判断した場合は、Ｓ１２２１にて、ＣＰＵ１０１が設定手段４０３を実行することにより、ｆｒｏｍの内容、つまり行６０９で指定されているアドレスをｅｎｖｅｌｏｐｅ  ｆｒｏｍに設定する。
これにより、メールサーバはＲｅｔｕｒｎ−Ｐａｔｈヘッダに対してｆｒｏｍのアドレスを設定することになる。なお、設定情報６００のｆｒｏｍにモバイル端末３０３のアドレスが設定されていれば、エラーメールをモバイル端末３０３で受信、表示することができる。
【００５３】
Ｓ１２０１にて、ＣＰＵ１０１は、設定手段４０３を実行することで、設定情報６００はモバイル端末３０３からの受信ではないと判断した場合は、画像形成装置３０５のプリセットボタンによる実行と判断する。そして、Ｓ１２１０にて、ＣＰＵ１０１は、設定手段４０３を実行して、画像形成装置３０５のアドレスをｅｎｖｅｌｏｐｅ  ｆｒｏｍとして設定する。
これにより、画像形成装置３０５の操作部１０６によるセンド操作を行った場合は、エラーメールを画像形成装置３０５の操作部１０６にて確認することができるようになる。またＳ１２２０にて、ＣＰＵ１０１が設定手段４０３を実行することにより、設定情報６００にｆｒｏｍが無いと判断した場合もＳ１２１０へ進み、エラーメールは画像形成装置３０５にて受信することになる。
【００５４】
ｅｎｖｅｌｏｐ  ｆｒｏｍの設定を終了すると、ＣＰＵ１０１は設定手段４０３を実行することで、Ｓ１２０４へ進み、ＣＰＵ１０１は、センド機能におけるその他の設定を行う。その後、本処理を終了する。
【００５５】
画像形成装置３０５で設定情報６００を受信した例では本処理において、ＣＰＵ１０１が設定手段４０３を実行することで、宛先をｇｉｎｊｉ＠ｃａｘｘｘ．ｃｏ．ｊｐ、ｂｕｎｔａｒｏ＠ｃａｘｘｘ．ｃｏ．ｊｐ、ｇｏｅｍｏｎ＠ｃａｘｘｘ．ｃｏ．ｊｐの３つを設定し、生成するフォーマットをｘｐｓ、解像度を３００ｄｐｉで設定する。
また同様に、ＣＰＵ１０１が設定手段４０３を実行することで、送信するメールの  Ｆｒｏｍヘッダ、Ｒｅｐｌｙ−ｔｏヘッダをｂｅｌｌ＠ｃａｘｘｘ．ｃｏ．ｊｐに設定し、ｅｎｖｅｌｏｐｅ  ｆｒｏｍを同じくｂｅｌｌ＠ｃａｘｘｘ．ｃｏ．ｊｐと設定することになる。
【００５６】
図１３は、本実施形態を示す情報処理装置のデータ処理方法を説明するフローチャートである。本例は、図７に示したモバイル端末３０３のＳ７２１の詳細手順に対応する。なお、各ステップは、ＣＰＵ２０２が記憶された制御プログラム（図５に示したプログラムを含む）を実行することで実現される。
Ｓ１３０１では、ＣＰＵ２０２が生成手段５０２を実行することにより、指定された設定情報６００の生成を行う。Ｓ１３０２では、ＣＰＵ２０２が生成手段５０２を実行することにより、生成された設定情報６００がセンド機能のものかどうかを判断する。ここで、生成された設定情報６００がセンド機能のものであるとＣＰＵ２０２が判断した場合、Ｓ１３０３へ進み、センド機能では無いとＣＰＵ２０２が判断した場合、本処理を終了する。
【００５７】
図６の（Ａ）に示す例では、行６０２で値がｓｅｎｄとなっているため、設定情報６００はセンド機能と判断できる。
Ｓ１３０３では、ＣＰＵ２０２が生成手段５０２を実行することにより、生成した設定情報６００にｒｅｐｌｙ−ｔｏがあるかどうかを判断する。ここで、生成した設定情報６００にｒｅｐｌｙ−ｔｏがないとＣＰＵ２０２が判断した場合、Ｓ１３１０へ進み、生成した設定情報６００にｒｅｐｌｙ−ｔｏがあるとＣＰＵ２０２が判断した場合、本処理を終了する。
Ｓ１３１０では、ＣＰＵ２０２が生成手段５０２を実行することにより、Ｃｏｎｆｉｇ情報のアドレス設定をｒｅｐｌｙ−ｔｏ（返信先）の設定として設定情報６００に付与し、本処理を終了する。アドレス設定については次の図１４を参照して説明する。
【００５８】
図１４は、本実施形態を示す情報処理装置のデータ処理方法を説明するフローチャートである。本例は、図７に示したモバイル端末３０３のＣｏｎｆｉｇ情報の設定処理手順に対応する。なお、各ステップは、ＣＰＵ２０２が記憶された制御プログラム（図５に示したプログラムを含む）を実行することで実現される。
まず設定処理を開始すると、Ｓ１４０１にて、ＣＰＵ２０２が保存手段５０３を実行することにより、アドレス設定に設定値が例えば補助記憶装置２０５に保存されているかどうかを判断する。ここで、設定値が保存されているとＣＰＵ２０２が判断した場合、ＣＰＵ２０２は、表示手段５０４を実行することにより、Ｓ１４１０にて、ＣＰＵ２０２は、画像表示装置２０７にアドレス設定値を示すモバイル端末画面に表示し、Ｓ１４０４へ進む。
一方、Ｓ１４０１で、設定値がないとＣＰＵ２０２が判断した場合、ＣＰＵ２０２は保存手段５０３を実行することにより、Ｓ１４０２にて他の場所にアドレス情報の探索を行う。ここで、アドレス情報がないとＣＰＵ２０２が判断した場合、Ｓ１４２０へ進み、ＣＰＵ２０２が表示手段５０４を実行することにより、アドレス設定値を空欄となるモバイル端末画面を画像表示装置２０７に表示する。
一方、Ｓ１４０２で、アドレス情報があるとＣＰＵ２０２が判断した場合、１４０３に進み、ＣＰＵ２０２は表示手段５０４を実行することにより、そのアドレス情報をアドレス設定値の候補として、モバイル端末画面を画像表示装置２０７に表示する。
【００５９】
例えば、保存手段５０３が管理する共有エリアにモバイル端末２０１の他のアプリケーションが使用しているメールアドレスが保存してあるとＣＰＵ２０２が判断した場合、その情報を獲得して画像表示装置２０７に表示する。
その後、Ｓ１４０４では、ＣＰＵ２０２が表示手段５０４を実行することにより、その他のＣｏｎｆｉｇ情報を画像表示装置２０７に表示する。そして、Ｓ１４０５でユーザからの入力待ちとなる。
ここで、ユーザから設定値の入力があるとＣＰＵ２０２が判断した場合、Ｓ１４０６で、ＣＰＵ２０２は表示手段５０４を実行することにより、その値を画像表示装置２０７に表示する。
一方、Ｓ１４０５で、ユーザから終了の指示があるとＣＰＵ２０２が判断した場合、本処理を終了する。
【００６０】
図１５は、図３に示したモバイル端末３０３に表示されるＵＩ画面の一例を示す図である。本例は、Ｃｏｎｆｉｇ設定画面の一例である。
図１５において、１５０１はＣｏｎｆｉｇ設定画面であることを示すタイトル表示である。項目１５０２〜項目１５０４がＣｏｎｆｉｇ設定の項目となる。項目１５０４が図１４のフローチャートでの説明にあるアドレス設定値である。この例では、ｂｅｌｌ＠ｃａｘｘｘ．ｃｏ．ｊｐがその値となる。その他の表示は本発明と直接関係がないため、説明を割愛する。
【００６１】
図１６は、図３に示したモバイル端末３０３に表示されるＵＩ画面の一例を示す図である。本例は、画像形成装置３０５が設定した返信先に従い、モバイル端末３０３が受信したエラーメールを表示した一例である。ここで、エラーメールには、モバイル端末３０３が送信した設定情報６００に従い画像形成装置３０５が特定した機能を実行した結果、具体的には特定した機能の実行情報を示す情報が付加されている。ここで、エラーメールは、設定情報６００に従い実行したジョブの実行状態に対応する応答情報の一例である。
図１６において、設定情報６００によってセンド機能を操作し、スキャンデータを送信した際にエラーが発生した場合を例として説明する。項目１６０１はエラーメールの送信元であり、通常はエラーを検出したメールサーバーとなる。項目１６０２は設定情報６００のｒｅｐｌｙ−ｔｏの情報（行６０８）が設定されている。これはＳ１２０３にてｒｅｐｌｙ−ｔｏの値をｅｎｖｅｌｏｐｅ  ｆｒｏｍに設定したためである。項目１６０３はエラーメールのサブジェクトである。項目１６０４はエラーメールの内容である。この内容から設定情報６００の行６０３にあるｇｏｅｍｏｎ＠ｃａｘｘｘ．ｃｏ．ｊｐにはスキャンデータが届いていないことを、ユーザは認識することができる。
【００６２】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００６３】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００６４】
３０３  モバイル端末
３０５〜３０７  画像形成装置
【図１】
2015226180.tif 000003
【図２】
2015226180.tif 000004
【図３】
2015226180.tif 000005
【図４】
2015226180.tif 000006
【図５】
2015226180.tif 000007
【図６】
2015226180.tif 000008
【図７】
2015226180.tif 000009
【図８】
2015226180.tif 000010
【図９】
2015226180.tif 000011
【図１０】
2015226180.tif 000012
【図１１】
2015226180.tif 000013
【図１２】
2015226180.tif 000014
【図１３】
2015226180.tif 000015
【図１４】
2015226180.tif 000016
【図１５】
2015226180.tif 000017
【図１６】
2015226180.tif 000018